(57)【特許請求の範囲】
【請求項１】
中間部と下端部にそれぞれ中間ウエイトと下部ウエイトが取付けられており、水面に浮かべて設置されてほぼ一定の間隔ごとに連結されているフロートの下側に上部が取付けられることで、前記フロートに水中で吊り下げられている汚濁拡散防止膜において、
深さ方向の中間部両側には、帯状の補強布が前記フロートの設置方向とほぼ平行に取付けられており、
前記中間ウエイトは一対の分割部から形成され、前記補強布が取付けられた部分に前記一対の分割部が両側から挟み込む状態で、前記フロートの設置方向に複数個が一定間隔で固定されていることを特徴とする汚濁拡散防止膜。
【請求項２】
前記一対の分割部が、それぞれ前記フロートの設置方向とほぼ平行な方向でブロック状の小片部に分けられ、この小片部はほぼ一定の間隔で、且つ同小片部の長さ以上の距離を保つように並べられており、前記小片部が両面から対で挟み込んだ状態に固定されていることを特徴とする請求項１記載の汚濁拡散防止膜。
【請求項３】
前記一対の分割部を取付けるための貫通孔を、前記補強布をも貫通させるように設けて、前記貫通孔と前記一対の分割部に設けられた固定孔とにねじが通されて、前記一対の分割部が固定されていることを特徴とする請求項１または２記載の汚濁拡散防止膜。
【請求項４】
水面に浮かべて設置されて、ほぼ一定の間隔ごとに連結されているフロートの下側に、請求項１、２または３記載の汚濁拡散防止膜の上部が取付けられて、水中で吊り下げられた状態となっている汚濁拡散防止装置。
【発明の詳細な説明】
【０００１】
【発明の属する技術分野】
主に、海や河川等の埋立工事や、護岸工事・航路浚渫工事等の港湾工事の際に、埋立土砂やヘドロなどによる汚濁水が周囲に拡散するのを防ぐために使用されている汚濁拡散防止膜と汚濁拡散防止装置に関するものである。
【０００２】
【従来の技術】
従来の汚濁拡散防止膜と汚濁拡散防止装置は、内部に浮力体を収納したフロートが、汚濁水の発生源を囲むように水面に浮かべて設置されている。そして、前記フロートの下側に、汚濁拡散防止膜の上部が連結されているものである。
【０００３】
前記汚濁拡散防止膜は、ポリエステル帆布等を用いて長方形に縫製されており、長辺側の一辺を上側に向けた状態で上部を、内部に空気や発泡スチロール等の浮力体が収納されて円形の断面形状を有し、水面に浮かべて設置されて、一定の間隔で連結されているフロートの下側にボルトで取付けられている。また、前記汚濁拡散防止膜は縫製されて取り付けられる場合もある。そして、この汚濁拡散防止膜は中間部の片面と下端部のそれぞれに、防錆加工が施されている重錘用の中間チェーンと下部チェーンが前記フロートの設置方向にほぼ平行になるように取付けられて、前記フロートの全長に渡って水中に吊り下げられた状態となっている。また、前記中間チェーンと前記下部チェーンは前記汚濁拡散防止膜に一定間隔で設けられた吊り具によって支持されている。
【０００４】
このように、前記中間チェーンと前記下部チェーンを設けることで、水流による前記汚濁拡散防止膜の捲くれあがりを抑えることができ、前記汚濁拡散防止装置の汚濁水拡散防止の効果を上げることができる。
【０００５】
【発明が解決しようとする課題】
上記のような前記汚濁拡散防止装置に用いられている前記汚濁拡散防止膜は、前記中間チェーンと前記下部チェーンが前記吊り具によって、ぶら下げられた状態で支持されているのみで、前記汚濁拡散防止膜に対して固定されていないため、水流や潮流の影響によって、前記中間チェーンと前記下部チェーンが動揺することとなる。そして、特に中間部に設けられた前記中間チェーンが前記汚濁拡散防止膜に擦れることで、前記汚濁拡散防止膜が摩耗し、破損するという問題が発生している。
【０００６】
本発明はこれらの問題点に鑑み、中間部に取付けられたウエイトが動揺して、擦れることで摩耗し、破損することを防止できる汚濁拡散防止膜及び、この汚濁拡散防止膜を用いた汚濁拡散防止装置を提供する。
【０００７】
【課題を解決するための手段】
請求項１の汚濁拡散防止膜は、中間部と下端部にそれぞれ中間ウエイトと下部ウエイトが取付けられており、水面に浮かべて設置されてほぼ一定の間隔ごとに連結されているフロートの下側に上部が取付けられることで、前記フロートに水中で吊り下げられている汚濁拡散防止膜において、深さ方向の中間部両側には、帯状の補強布が前記フロートの設置方向とほぼ平行に取付けられており、前記中間ウエイトは一対の分割部から形成され、前記補強布が取付けられた部分に前記一対の分割部が両側から挟み込む状態で、前記フロートの設置方向に複数個が一定間隔で固定されているものである。
【０００８】
また、前記一対の分割部のそれぞれが、前記フロートの設置方向とほぼ平行な方向で分割され、前記フロートで囲まれた領域の内外方向に変形可能に連結されて一体となっているものも考えられる。そして、前記一対の分割部の固定方法として、前記一対の分割部の一方に凸部を形成し、他方に凹部を設けて互いに嵌め合わせて固定するものなどが考えられる。
【０００９】
こうすることで、前記中間ウエイトが水流等の影響を受けても、前記汚濁拡散防止膜に対して動かなくなり、擦れて前記汚濁拡散防止膜が摩耗することを防止できる。また、前記汚濁拡散防止膜の前記一対の分割部を固定する部分に補強布を取付けることで、前記汚濁拡散防止膜と前記分割部の固定面の端部が擦れて摩耗し、破損し易い部分を保護することができる。
【００１０】
請求項２の汚濁拡散防止膜は、前記一対の分割部を前記フロートの設置方向とほぼ平行な方向でブロック状の小片部に分けて形成し、前記小片部をほぼ一定の間隔で、且つ同小片部の長さ以上の距離を保つように並べて、前記小片部を両面から対で挟み込んだ状態に固定するものである。
【００１１】
こうして、前記一対の分割部をブロック状にして前記汚濁拡散防止膜との接触面積を増やすことで、前記チェーンの場合のように、局所的に力が加わって摩耗し易くなることを防止でき、また、ブロック状にした前記一対の分割部を、間隔を設けて固定することで、前記汚濁拡散防止膜の可撓性も十分に確保できる。
【００１２】
請求項３の前記汚濁拡散防止膜は、前記一対の分割部を取付けるための貫通孔を、前記補強布をも貫通するように設け、前記貫通孔と前記一対の分割部に設けられた固定孔とにねじを通して、前記一対の分割部を固定するものである。
【００１３】
こうのように、前記一対の分割部を、ねじを用いて固定することで、前記中間ウエイトを前記汚濁拡散防止膜に確実に固定することができるため、前記一対の分割部の固定面と前記汚濁拡散防止膜が擦れて摩耗することを防止できる。
【００１４】
請求項４記載の汚濁拡散防止装置は、水面に浮かべて設置されて、ほぼ一定の間隔ごとに連結されている前記フロートの下側に、請求項１，２または３記載の汚濁拡散防止膜の上部を取付けて、水中に吊り下げた状態にしたもとすることで、破損し易い箇所が減るためメンテナンスの手間が省ける。
【００１５】
【発明の実施の形態】
本発明の前記汚濁拡散防止膜及び汚濁拡散防止装置の実施の形態について図１〜３を参照して説明する。
【００１６】
図１に示すように、汚濁拡散防止装置１は主に、フロート２と汚濁拡散防止膜３から構成されている。フロート２は、表面に帆布２ａを接着剤で貼り付けることで、補強されているゴムや塩化ビニル樹脂等で形成されており、内部に浮力体として空気が封入されることで、上部２ｂが円筒状に膨らんだ状態で水面７に浮かべられて設置されている。そして、フロート２の下端部には、汚濁拡散防止膜３を支持する帯状の取付け部２ｃが長手方向をフロート２の軸方向に一致させるように形成されている。
【００１７】
汚濁拡散防止膜３は、耐候性や耐薬品性等に優れたポリエステル等の合成繊維で織られた帆布を用いて形成され、正面から見て長方形状に縫製されており、長辺側の一方の端部に鳩目３ａが全長に等間隔で設けられている。この鳩目３ａと取付け部２ｃの下部の全長に設けられた取付け孔２ｄをボルト等で連結することで、汚濁拡散防止膜３が取付け部２ｃに固定されている。そして、長辺側の他方の端部には等間隔で細いベルト状の吊り部３ｂが設けられており、この吊り部３ｂを、樹脂塗料（エポタール等）を塗布する等の防錆加工が施されている重錘用チェーン４（下部ウエイト）に通した状態で環状にすることで、重錘用チェーン４を汚濁拡散防止膜３に吊り下げた状態で支持している。
【００１８】
また、図１と図２に示すように、汚濁拡散防止膜３の両面には上下方向の中間部に、ポリエステル繊維等で織られている帯状の補強用帆布５が、フロート２と平行に汚濁拡散防止膜３の全長に渡り、縫製によって張付けられている。そして、補強用帆布５が張付けられている部分には、補強用帆布５の幅よりも上下方向の長さが短いブロック状の中間ウエイト６が補強用帆布５に沿って、ほぼフロート２と平行となるように等間隔で取付けられている。この間隔は中間ウエイト６の横方向の長さと比較して、約１．５倍程度になるように設けられている。このように、汚濁拡散防止膜３は、図１に示すように、中間部と下端部におもりが取付けられているために、水中でフロート２にカーテン状にぶら下がった状態になっている。
【００１９】
この中間ウエイト６は、フロート２で囲まれた領域の内外方向で分割されて、同じ形状の内側小片部６ａと外側小片部６ｂとに分けられている。この内側小片部６ａと外側小片部６ｂは鋼材を用いて、正面から見て略長方形のブロック状に形成されており、防錆対策として表面に亜鉛めっきが施されている。そして、正面から見て左右一箇所づつに固定孔６ｃが貫通して設けられており、固定孔６ｃは内側小片部６ａと外側小片部６ｂを合わせて一致させた場合に同じ位置になるように開けられている。
【００２０】
図１と図３に示すように、内側小片部６ａと外側小片部６ｂは汚濁拡散防止膜３の内側と外側のそれぞれに、長手方向をフロート２の軸方向に向けた状態にして、汚濁拡散防止膜３と補強用帆布５を間に挟んだ状態で配置されている。そして、固定孔６ｃと汚濁拡散防止膜３と補強用帆布５にそれぞれ設けられた貫通孔３ｃ、３ｄを一致させて、外側小片部６ｂの固定孔６ｃにボルト６ｄを挿入し、汚濁拡散防止膜３と補強用帆布５を貫通させる。そして、先端部を内側小片部６ａから突出させてナット６ｅを締めつけることで、中間ウエイト６を汚濁拡散防止膜３に固定する。
【００２１】
次に、実施例の中間ウエイト６を用いた汚濁拡散防止装置１の作用について説明すると、海洋、河川の各種工事において、水流や工事用機械等によって水が攪拌されることで汚濁水が周囲に拡散しようとする。そこで、フロート２を汚濁水の発生源を囲むように連続して水面７に浮かべて設置すると、汚濁水はフロート２の下側にカーテン状に設けられた汚濁拡散防止膜３によって拡散が抑えられ、汚濁拡散防止膜３で囲われた水域に滞留させられこととなる。そして、滞留させられらた汚濁水は汚濁粒子が互いに影響を及ぼし合い、自然に凝固して沈降していくため、汚濁拡散防止膜３で囲まれた領域の外側への拡散を大幅に減少させられる。
【００２２】
このときに、水流によって汚濁拡散防止膜３が煽られた場合に、中間ウエイト６は汚濁拡散防止膜３にボルト６ｄで固定されるとともに、中間ウエイト６の取付け部分に、耐摩耗性のあるポリエステル繊維で織られた帆布を用いて形成された補強用帆布５が張付けられているために、汚濁拡散防止膜３は中間ウエイト６が擦れて摩耗することを防止でき、補修やメンテナンスの手間を省くことができる。
【００２３】
そして、中間ウエイト６を複数の小片部に分割し、一定の間隔で設けているために汚濁拡散防止膜３の可撓性を十分に確保でき、激しい水流を受けた場合でも、フロート２で囲まれた領域の内外方向に簡単に撓むことができるため、水流により受けた力を吸収して、汚濁拡散防止膜３と取付け部２ｃとの取付け部分や汚濁拡散防止膜３自体への負担を軽減させることができる。
【００２４】
【発明の効果】
請求項１の汚濁拡散防止膜は、中間ウエイトを一対の分割部から形成されるものとし、一対の分割部で汚濁拡散防止膜の補強布が張付けられている部分を挟みこんだ状態にして中間ウエイトを固定する。こうすることで、中間ウエイトが擦れることで汚濁拡散防止膜が摩耗し、破損することを防止できる。また、汚濁拡散防止膜に補強布を張付けることで、汚濁拡散防止膜が破損し易い部分である中間ウエイトの固定面の端部が当たる部分を保護でき、汚濁拡散防止膜の破損を防止できるため、補修やメンテナンスの手間を省くことができる。
【００２５】
請求項２の汚濁拡散防止膜は、一対の分割部のそれぞれを、フロートの設置方向とほぼ平行な方向でブロック状の小片部に分けて形成し、小片部をほぼ一定の間隔で、且つ小片部の長さ以上の距離を保つように並べて、両面から対で汚濁拡散防止膜に固定する。こうすることで、汚濁拡散防止膜の可撓性が損なわれることがないために、水流から受ける力を緩和でき、汚濁拡散防止装置への負担を軽減できるため寿命を延ばすことができる。また、小片部をブロック状にして、汚濁拡散防止膜との接触面積を大きくすることで、チェーンのように局所的に力が加わって摩耗し易くなることを防止できる。
【００２６】
請求項３の汚濁拡散防止膜は、補強布をも貫通させるように設けた貫通孔と一対の分割部に設けられた固定孔とにねじを通して、このねじで一対の分割部を固定することで、中間ウエイトの固定面と汚濁拡散防止膜が擦れることがなくなる。そのために、中間ウエイトによる汚濁拡散防止膜の破損を防止することができる。
【００２７】
請求項４の汚濁拡散防止装置は、水面に浮かべて設置し、ほぼ一定の間隔ごとに連結されたフロートに、請求項１、２または３記載の汚濁拡散防止膜を取付けたものとすることで、破損し易い箇所を減らしてメンテナンスの手間を省くことができる。
【図面の簡単な説明】
【図１】本発明にかかる汚濁拡散防止装置の実施例を示す斜視図である。
【図２】本発明にかかる中間ウエイトを取付けた状態の実施例を示す斜視図である。
【図３】本発明にかかる中間ウエイトを取付けた状態の実施例を示す断面図である。
【符号の説明】
１  汚濁拡散防止防止装置
２  フロート
２ａ  帆布
２ｂ  上部
２ｃ  取付け部
２ｄ  取付け孔
３  汚濁拡散防止膜
３ａ  鳩目
３ｂ  吊り部
３ｃ  貫通孔
３ｄ  貫通孔
４  重錘用チェーン
５  補強帆布
６  中間ウエイト
６ａ  内側小片部
６ｂ  外側小片部
６ｃ  固定孔
６ｄ  ボルト
６ｅ  ナット
７  水面
【図１】
0004636754.tif 000002
【図２】
0004636754.tif 000003
【図３】
0004636754.tif 000004